(57)【要約】【課題】巻線工程のタクトタイムを短縮し、モータの量産性を向上する。【解決手段】モータは、中心軸（Ｊ）を取り囲む周方向に配置されるリングコア（１２）と、リングコア（１２）を巻回するワイヤ（１３）と、リングコア（１２）及びワイヤ（１３）間を絶縁するインシュレータ（１４）と、を備える。リングコア（１２）は、複数のコアセグメント（ＳＥＧ）と、複数のコアセグメント（ＳＥＧ）を周方向に連結する複数の連結部（ＣＯＭ）と、を備える。インシュレータ（１４）は、リングコア（１２）とワイヤ（１３）を絶縁する絶縁部と、絶縁部に連結されるターミナル部（ＴＥＲ１）と、を備える。ターミナル部（ＴＥＲ１）は、端子（Ｕ，Ｖ，Ｗ）を保持する。端子（Ｕ，Ｖ，Ｗ）の一端は、ターミナル部（ＴＥＲ１）から径方向に延びる。ワイヤ（１３）は、端子（Ｕ，Ｖ，Ｗ）の一端に巻回される。【選択図】図４
2019068593.tif 000002
【特許請求の範囲】
【請求項１】
中心軸まわりに回転可能なロータと、
中心軸を取り囲む周方向に配置されるリングコアと、
前記リングコアを巻回するワイヤと、
前記リングコア及び前記ワイヤ間を絶縁するインシュレータと、
前記ロータ、前記リングコア、前記ワイヤ、及び、前記インシュレータを取り囲む第１のハウジングと、
を備え、
前記ロータの少なくとも一端は、中心軸が延びる軸方向において前記第１のハウジングから突出し、
前記リングコアは、複数のコアセグメントと、前記複数のコアセグメントを周方向に連結する複数の連結部と、を備え、
前記複数のコアセグメントの各々は、コアバック部と、前記コアバック部から中心軸に直交する径方向に突出し、前記ワイヤが巻回されるティース部と、を備え、
前記インシュレータは、前記ティース部及び前記ワイヤ間に配置される絶縁部と、前記絶縁部に連結されるターミナル部と、を備え、
前記ターミナル部は、端子を保持し、
前記端子の第１の端部は、前記ターミナル部から径方向に延び、
前記ワイヤは、前記第１の端部に巻回される、
モータ。
【請求項２】
前記インシュレータは、前記リングコアに固定され、
前記第１のハウジングは第１のスリットを有し、
前記ターミナル部は、前記第１のハウジングの径方向内側から前記第１のハウジングの径方向外側に向けて、前記第１のスリットを経由して突出する第１の突出部を含み、
前記第１の突出部は、前記第１のスリットに接触する、
請求項１に記載のモータ。
【請求項３】
前記端子の第２の端部は、前記第１の突出部から軸方向に延びる、
請求項２に記載のモータ。
【請求項４】
前記ロータの回転角を検出するセンサと、
前記センサが実装される回路基板と、をさらに備え、
前記回路基板は、前記センサにより検出される前記回転角を出力するセンサ端子を有し、
前記第１のハウジングは、第２のスリットを有し、
前記回路基板は、前記第１のハウジングの径方向内側から前記第１のハウジングの径方向外側に向けて、前記第２のスリットを経由して突出する第２の突出部を含み、
前記センサ端子は、前記第２の突出部から軸方向に延びる、
請求項３に記載のモータ。
【請求項５】
前記ロータの回転は、３相入力信号により制御され、
前記端子は、前記３相入力信号が入力される３つの外部端子である、
請求項１乃至４のいずれか１項に記載のモータ。
【請求項６】
前記ターミナル部は、前記複数のコアセグメントのうちの１つに対応する前記絶縁部に連結され、
前記３つの外部端子は、周方向の所定幅内に並んで配置され、
前記所定幅は、前記コアバック部の周方向の幅よりも小さい、
請求項５に記載のモータ。
【請求項７】
前記ワイヤは、前記端子に径方向外側から径方向内側に向かって、巻回される、
請求項１に記載のモータ。
【請求項８】
前記端子に巻回される前記ワイヤの巻回方向は、前記ティース部に巻回される前記ワイヤの巻回方向と同じである、
請求項１に記載のモータ。
【請求項９】
前記複数の連結部の各々は、軸方向に延びる裂け目部と、前記裂け目部に沿う凸部と、を含む、
請求項１乃至８のいずれか１項に記載のモータ。
【請求項１０】
請求項１に記載のモータと、
前記モータを制御する制御装置と、
前記制御装置が搭載される制御基板と、
出力軸を中心に回転可能なシャフトと、
前記ロータ及び前記シャフト間を接続するギアと、
前記モータ、前記制御基板、前記シャフト、及び、前記ギアを取り囲む第２のハウジングと、
を備え、
前記シャフトの少なくとも一端は、前記第２のハウジングから突出し、
前記制御基板は、中心軸に直交する面内に配置され、かつ、軸方向に貫通するホール部を有し、
前記端子の第２の端部は、前記制御基板を貫通する、
モータユニット。
【請求項１１】
モータのステータであって、
中心軸を取り囲む周方向に配置されるリングコアと、
前記リングコアを巻回するワイヤと、
前記リングコア及び前記ワイヤ間を絶縁するインシュレータと、
を備え、
前記リングコアは、複数のコアセグメントと、前記複数のコアセグメントを周方向に連結する複数の連結部と、を備え、
前記複数のコアセグメントの各々は、コアバック部と、前記コアバック部から中心軸に直交する径方向に突出し、前記ワイヤが巻回されるティース部と、を備え、
前記インシュレータは、前記ティース部及び前記ワイヤ間に配置される絶縁部と、前記絶縁部に連結されるターミナル部と、を備え、
前記ターミナル部は、端子を保持し、
前記端子の第１の端部は、前記ターミナル部から径方向に延び、
前記ワイヤは、前記第１の端部に巻回される、
ステータ。
【請求項１２】
前記ターミナル部の中心軸が延びる軸方向上側の第１の端面部は、前記複数のコアセグメントのうちの１つの軸方向下側の第２の端面部よりも軸方向下側に位置する、
請求項１１に記載のステータ。
【請求項１３】
前記端子の第２の端部は、前記コアバック部と径方向に間隙をもって対向する、
請求項１１又は１２に記載のステータ。
【請求項１４】
前記端子は、３相入力信号が入力される３つの外部端子である、
請求項１１乃至１３のいずれか１項に記載のステータ。
【請求項１５】
前記複数の連結部の各々は、軸方向に延びる裂け目部と、前記裂け目部に沿う凸部と、を含む、
請求項１２に記載のステータ。
【請求項１６】
モータのステータであって、
第１の方向に延びるストレートコアと、
前記ストレートコアを巻回するワイヤと、
前記ストレートコア及び前記ワイヤ間を絶縁するインシュレータと、
を備え、
前記ストレートコアは、複数のコアセグメントと、前記複数のコアセグメントを第１の方向にストレートに連結する複数の連結部と、を備え、
前記複数のコアセグメントの各々は、コアバック部と、前記コアバック部から第１の方向に直交する第２の方向に突出し、前記ワイヤが巻回されるティース部と、を備え、
前記インシュレータは、前記ティース部及び前記ワイヤ間に配置される絶縁部と、前記絶縁部に連結されるターミナル部と、を備え、
前記ターミナル部は、端子を保持し、
前記端子の第１の端部は、前記ターミナル部から第２の方向に延び、
前記ワイヤは、前記第１の端部に巻回される、
ステータ。
【請求項１７】
前記ターミナル部の第１及び第２の方向に直交する第３の方向上側の第１の端面部は、前記複数のコアセグメントのうちの１つの第３の方向下側の第２の端面部よりも第３の方向下側に位置する、
請求項１６に記載のステータ。
【請求項１８】
前記端子の第２の端部は、前記コアバック部と第２の方向に間隙をもって対向する、
請求項１６又は１７に記載のステータ。
【請求項１９】
前記端子は、３相入力信号が入力される３つの外部端子である、
請求項１６乃至１８のいずれか１項に記載のステータ。
【請求項２０】
前記複数の連結部の各々は、第３の方向に延びる溝部と、前記溝部の縁に沿う凸部と、を含む、
請求項１７に記載のステータ。
【発明の詳細な説明】
【技術分野】
【０００１】
本発明は、モータ、モータユニット、及び、ステータに関する。
【背景技術】
【０００２】
ブラシレスＤＣ（ＢＬＤＣ）モータなどのモータは、例えば、複数のスロット間のスペース、即ち、スロット溝を狭くすることで、小型化及び低コスト化を図る。ここで、スロット溝とは、ワイヤが巻回される２つのティース部間の空間のことである。
【０００３】
しかし、スロット溝が狭くなると、ティース部にワイヤを巻回する巻線工程の高速化及び高品質化が課題となる。なぜなら、この場合、巻線機の巻線ノズルの動きを高速化すればするほど、巻線ノズルの動作のフレが大きくなり、巻線ノズルがステータコアに接触するおそれがあるからである。
【０００４】
ストレートコアは、この課題を解決するために有効である。ストレートコアは、コアバック部と、ティース部とを有し、直線状に延びるコアバック部に対して、垂直方向にティース部が延びる。ティース部は、等間隔に並んでいる。ストレートコアは、巻線工程後にティース部が中心軸に向かう方向に丸められ（カーリング処理）、リングコアとなる。ストレートコアの巻線工程は、カーリング処理を行う前の状態で行われる。巻線工程（カーリング処理前）でのスロット溝は、カーリング処理後のスロット溝よりも広いため、ストレートコアは、巻線工程の高速化に適している。
【０００５】
ここで、モータに使用されるリングコアは、ストレートコアをカーリング処理したカーリングタイプと、円状に打ち抜いた電磁鋼板を積層した丸コアタイプと、がある。
【０００６】
一方、巻線ノズルがステータコアに接触するという問題は、ワイヤをターミナル部の外部端子に巻回するときにも発生する。ここで、ターミナル部とは、モータの外部端子が設けられる部分のことである。モータの外部端子とは、モータを駆動する駆動信号、例えば、Ｕ相、Ｖ相、又は、Ｗ相の交流信号を、モータの外部（例えば、制御装置）から入力する入力端子のことである。
【０００７】
巻線工程において、ワイヤは、ティース部に巻回される前又は後にターミナル部の外部端子に巻回される。この時、ティース部が突出する方向とターミナル部の外部端子が延びる方向とが直交していると、巻線工程において、巻線機は、巻線ノズルの向きを９０°変えなければならない。従って、上述のように、巻線機の巻線ノズルの動きを高速化すると、巻線ノズルの動作のフレが大きくなり、巻線ノズルがステータコアに接触するおそれが発生する。
【０００８】
このようなことから、従来では、巻線ノズルの動きを高速化することが難しい。その結果、巻線工程のタクトタイムが長なり、モータの量産性が向上できず、モータの低コスト化が十分に実現されない。
【０００９】
特許文献１及び特許文献２は、ティース部に巻回されたワイヤの一端を、モータの内部端子（絡げピン）に巻回する技術を開示する。
【先行技術文献】
【特許文献】
【００１０】
【特許文献１】特許５６２２６６３号公報
【特許文献２】特開２０１５−１７３５５７号公報
【発明の概要】
【発明が解決しようとする課題】
【００１１】
特許文献１に開示される技術では、ティース部が突出する方向とモータの内部端子が延びる方向とが直交する。従って、特許文献１に開示される技術では、巻線機は、巻線工程において、巻線ノズルの向きを９０°変えなければならない。即ち、巻線機は、巻線ノズルの動きを高速化できない。その結果、巻線工程のタクトタイムが長なり、モータの量産性が向上できず、モータの低コスト化が十分に実現されない。
【００１２】
本発明は、巻線工程のタクトタイムを短縮し、モータの量産性を向上する技術を提案する。
【課題を解決するための手段】
【００１３】
本願の例示的な第１の発明に係わるモータは、中心軸まわりに回転可能なロータと、中心軸を取り囲む周方向に配置されるリングコアと、前記リングコアを巻回するワイヤと、前記リングコア及び前記ワイヤ間を絶縁するインシュレータと、前記ロータ、前記リングコア、前記ワイヤ、及び、前記インシュレータを取り囲む第１のハウジングと、を備える。前記ロータの少なくとも一端は、中心軸が延びる軸方向において前記第１のハウジングから突出する。前記リングコアは、複数のコアセグメントと、前記複数のコアセグメントを周方向に連結する複数の連結部と、を備える。前記複数のコアセグメントの各々は、コアバック部と、前記コアバック部から中心軸に直交する径方向に突出し、前記ワイヤが巻回されるティース部と、を備える。前記インシュレータは、前記ティース部及び前記ワイヤ間に配置される絶縁部と、前記絶縁部に連結されるターミナル部と、を備える。前記ターミナル部は、端子を保持する。前記端子の第１の端部は、前記ターミナル部から径方向に延びる。前記ワイヤは、前記第１の端部に巻回される。
【発明の効果】
【００１４】
本願の例示的な第１の発明によれば、巻線工程のタクトタイムが短縮され、モータの量産性が向上される。
【図面の簡単な説明】
【００１５】
【図１Ａ】図１Ａは、モータの外形の例を示す図である。
【図１Ｂ】図１Ｂは、図１Ａのモータの断面を示す図である。
【図２】図２は、第１のハウジングの外形の例を示す図である。
【図３】図３は、ステータ及びロータの外形の例を示す図である。
【図４】図４は、ステータの例を示す図である。
【図５】図５は、リングコアの例を示す図である。
【図６】図６は、インシュレータの例を示す図である。
【図７】図７は、絶縁部とターミナル部との関係を示す図である。
【図８】図８は、ステータの例を示す図である。
【図９】図９は、ストレートコアの例を示す図である。
【図１０】図１０は、インシュレータの例を示す図である。
【図１１】図１１は、巻線機の例を示す図である。
【図１２】図１２は、巻線工程の例を示す図である。
【図１３】図１３は、巻線機の動作の例を示す図である。
【図１４】図１４は、仕上工程の例を示す図である。
【図１５】図１５は、モータの組立工程の例を示す図である。
【図１６】図１６は、モータユニットの外形の例を示す図である。
【図１７】図１７は、図１６のＸＶＩＩ−ＸＶＩＩ線に沿う断面図である。
【図１８】図１８は、図１６のモータユニットを裏面から見た図である。
【図１９】図１９は、制御基板の例を示す図である。
【発明を実施するための形態】
【００１６】
以下、図面を参照しながら実施形態を説明する。
実施形態では、その説明を分かり易くするため、本発明の主要部以外の構造又は要素については、簡略化又は省略して説明する。また、図面において、各要素の寸法、形状、数などについても、一例であり、これに限定されるという主旨ではない。
【００１７】
また、以下の説明では、軸方向は、モータのロータ（シャフト）が延びる方向、即ち、ロータの中心軸が延びる方向と定義する。また、径方向は、ロータの中心軸に直交する方向と定義し、周方向は、ロータの中心軸を取り囲む方向と定義する。周方向は、ロータを中心に１周が３６０°である。
【００１８】
また、軸方向フロント側は、モータの回転出力を取り出す側、例えば、ロータの一端が第１のハウジングから突出する側と定義する。これに対し、モータのリア側とは、フロント側とは反対側、例えば、モータの回転を検出するセンサが配置される側と定義する。モータは、一般的に、フロント側を上側とし、リア側を下側として描かれることが多い。そのため、フロント側は、上側と称され、リア側は、下側と称される場合がある。しかし、本明細書では、上側／下側は、何かを基準に上下を定めるものではなく、単に、上側は、フロント側を意味し、下側は、リア側を意味するものとする。
【００１９】
また、フロント側を上側とし、リア側を下側とした場合において、左側／右側についても、何かを基準に左右を定めるものではない。図面を用いた説明上、フロント側を上側とし、リア側を下側とした場合に、ロータの中心軸よりも左側を、単に、左側とし、ロータの中心軸よりも右側を、単に、右側とする。
【００２０】
さらに、径方向内側とは、ロータの中心軸に向かう側を意味し、径方向外側とは、ロータの中心軸から遠ざかる側を意味する。
【００２１】
また、本明細書では、「ｘｘが〜方向に延びる」とは、ｘｘが〜方向に平行に延びる、即ち、〜方向に対して０°の方向に延びる場合に加えて、〜方向に対して、０°よりも大きく、かつ、４５°よりも小さい範囲で、斜め方向に延びる場合も含む。また、「ｘｘが〜方向に直交する」とは、ｘｘが〜方向に対して９０°の方向に延びる場合に加えて、〜方向に対して、４５°よりも大きく、かつ、１３５°よりも小さい範囲内の方向に延びる場合も含む。
【００２２】
＜モータ＞
図１Ａ、図１Ｂ、図２、図３、及び、図４は、モータの例を示す。図１Ａは、モータの外形の例を示す。図１Ｂは、図１Ａのモータの断面を示す。図２は、第１のハウジングの外形の例を示す。図３は、ステータ及びロータの外形の例を示す。図４は、図３からステータを抽出して示す。
【００２３】
モータは、中心軸Jを中心に回転可能なロータ１１と、中心軸Jを取り囲む周方向に配置されるリングコア１２と、リングコア１２を巻回するワイヤ１３と、リングコア１２及びワイヤ１３間を絶縁するインシュレータ１４と、ロータ１１、リングコア１２、ワイヤ１３、及び、インシュレータ１４を取り囲む第１のハウジング１０と、を備える。
【００２４】
モータの種類は、特に限定されない。モータは、例えば、ブラシレスモータ、サーボモータ、ステッピングモータ、リラクタンストルクモータなど、から選択可能である。また、モータは、例えば、Ｕ相、Ｖ相、及び、Ｗ相の３つのコイルを備える３相同期モータであるのが望ましい。
【００２５】
ここで、Ｕ相コイルとは、ロータ１１を回転させる磁界を発生する複数のコイルのうちＵ相入力信号により駆動されるコイルのことである。また、Ｖ相コイルとは、ロータ１１を回転させる磁界を発生する複数のコイルのうちＶ相入力信号により駆動されるコイルのことである。さらに、Ｗ相コイルとは、ロータ１１を回転させる磁界を発生する複数のコイルのうちＷ相入力信号により駆動されるコイルのことである。
【００２６】
モータは、ロータ１１の回転を制御する制御装置が第１のハウジング１０内に配置される機電一体モータでもよいし、又は、ロータ１１の回転を制御する制御装置が第１のハウジング１０外に配置されてもよい。また、モータは、インナーロータタイプでもよいし、又は、アウターロータタイプでもよい。
【００２７】
以下では、インナーロータタイプのブラシレスモータを例に説明する。
【００２８】
第１のハウジング１０は、例えば、金属又は金属合金を備える。但し、第１のハウジング１０は、導電体に限られず、絶縁体でもよい
【００２９】
ロータ１１は、中心軸Jに平行な軸方向に延びる。ロータ１１は、ロータコア１１１を備える。ロータコア１１１は、コア部１１１Ａと、磁極部（ロータマグネット）１１１Ｂと、を備える。このロータ１１は、磁極部１１１Ｂがコア部１１１Ａの径方向外側の表面に配置される表面磁石型（Surface Permanent Magnet：SPM）であるが、埋込磁石型（Interior Permanent Magnet：IPM）であってもよい。
【００３０】
磁極部１１１Ｂは、フェライト磁石、アルニコ磁石、サマコバ磁石、ネオジウム磁石などの磁石を備える。磁気センサＳＥＮは、磁極部１１１Ｂの軸方向の漏れ磁束を検出する。磁気センサＳＥＮは、この漏れ磁束を検出可能な素子、例えば、ホール素子、磁気抵抗素子など、を含む。
【００３１】
ロータ１１は、軸受（ベアリング）１１２により支持される。軸受１１２の種類は、特に限定されない。例えば、軸受１１２は、転がり軸受、すべり軸受などを採用できる。スラストワッシャーＴＷは、ロータ１１の軸方向に働く力（推力）を受け止める軸受として機能する。
【００３２】
ロータ１１のフロント側の一端は、軸方向において第１のハウジング１０から突出する。ロータ１１のリア側の他端は、中心軸Jが延びる軸方向において第１のハウジング１０内に存在する。但し、ロータ１１のリア側の他端も、第１のハウジング１０から突出していてもよい。
【００３３】
リングコア１２は、複数のコアセグメントＳＥＧと、複数のコアセグメントＳＥＧを周方向に連結する複数の連結部ＣＯＭと、を備える。リングコア１２は、例えば、複数の電磁鋼板を軸方向に積み重ねた構造を有する。これら複数の電磁鋼板は、カシメ(caulking)などにより互いに連結される。
【００３４】
本例では、複数のコアセグメントＳＥＧの数は、９個である。即ち、モータは、９スロットタイプである。例えば、ロータ１１に一体化されるロータコア１１１の磁極数が８個の場合、モータは、８極９スロットタイプモータとなる。但し、モータの磁極数及びスロット数は、一例であり、これに限定されることはない。３相同期モータの場合、複数のコアセグメントＳＥＧの数は、一般的には、３×ｎ（ｎは、１以上の自然数）である。
【００３５】
また、例えば、モータの回転を滑らかにするには、モータの磁極数及びスロット数は、多いのが望ましい。しかし、この場合、モータの小型化が進むと、スロット溝が狭くなり、巻線ノズルがステータコアに接触するおそれが生じる。従って、本例は、スロット数が比較的多いモータ、例えば、スロット数が９個以上のモータに特に有効である。
【００３６】
複数のコアセグメントＳＥＧの各々は、コアバック部１５と、コアバック部１５から中心軸Jに直交する径方向内側に突出し、ワイヤ１３が巻回されるティース部１６と、ティース部１６の径方向先端に配置され、ティース部１６の先端から周方向に延伸するアンブレラ部ＵＭＢと、を備える。例えば、図５は、図４のリングコア１２の詳細を示す。
【００３７】
図５から明らかなように、コアバック部１５は、径方向内側を向く面である第１の面部Ｓ１と、径方向外側を向く面である第２の面部Ｓ２と、第２の面部Ｓ２に配置される第１の連結部Ｆ１と、を備える。第１の連結部Ｆ１は、径方向内側に窪む凹形状であり、軸方向に延びる。
【００３８】
また、アンブレラ部ＵＭＢの周方向の幅は、ティース部１６の周方向の幅よりも広い。アンブレラ部ＵＭＢは、ティース部１６での磁気飽和を抑える効果を有する。即ち、コイルに流す電流を大きくしても磁束密度が増加しない磁気飽和は、ティース部１６内での磁束密度が過密過ぎることにある。アンブレラ部ＵＭＢは、この磁束密度の過密を解消するため、ティース部１６での磁気飽和が十分に抑えられる。
【００３９】
アンブレラ部ＵＭＢの径方向内側を向く表面は、例えば、中心軸Ｊを中心にした曲面を有する。この場合、アンブレラ部ＵＭＢからロータ１１に作用する界磁束（magnetic flux）が概ね均一になる。従って、この曲面は、モータの回転を滑らかにする効果を有する。
【００４０】
複数の連結部ＣＯＭの各々は、軸方向に延びる裂け目部Ｇと、裂け目部Ｇの縁に沿う２つの凸部Ｔと、を備える。２つの凸部Ｔは、それぞれ、例えば、径方向内側に向かって次第に先細るテーパ形状である。また、２つの凸部Ｔは、互いに接触する。これら裂け目部Ｇ及び凸部Ｔは、リングコア１２がカーリングタイプである場合に有効な要素である。
【００４１】
これら裂け目部Ｇ及び凸部Ｔは、カーリング処理を行い易くする効果を有する。裂け目部Ｇが塑性変形し、２つの凸部Ｔ同士が接触する構成は、リングコア１２を円形、例えば、真円にし易い。
【００４２】
尚、連結部ＣＯＭ’は、ストレートコアの両端に相当する部分である。ストレートコアがカーリング処理によりリングコア１２に変形されるとき、連結部ＣＯＭは、曲がり、連結部ＣＯＭ’の両端は、互いに連結される。連結部ＣＯＭ’の両端は、例えば、レーザ溶接、カシメなどの接合技術により固定される。連結部ＣＯＭ’の形状は、連結部ＣＯＭと同じでもよいし、又は、異なってもよい。
【００４３】
インシュレータ１４は、リングコア１２及びワイヤ１３間に配置される絶縁部ＩＳＲと、絶縁部ＩＳＲに連結されるターミナル部ＴＥＲ１と、を備える。例えば、図６及び図７は、図４のインシュレータ１４の詳細を示す。
【００４４】
図６及び図７から明らかなように、絶縁部ＩＳＲは、例えば、ティース部１６の周方向を向く２つの面を覆う側面部Ｅ１と、ティース部１６の軸方向を向く２つの面を覆う上下面部Ｅ２と、を備える。また、絶縁部ＩＳＲは、コアバック部１５の径方向内側を向く面である第１の面部Ｓ１及び径方向外側を向く面である第２の面部Ｓ２を覆う。これにより、ティース部１６及びワイヤ１３間の絶縁が実現される。
【００４５】
尚、絶縁部ＩＳＲは、例えば、ティース部１６の下半分を覆う下側インシュレータ１７と、ティース部１６の上半分を覆う上側インシュレータ１８と、から構成されてもよい。
【００４６】
絶縁部ＩＳＲは、さらに、コアバック部１５の第１の連結部Ｆ１に連結される第２の連結部Ｆ２を備える。この場合、インシュレータ１４は、コアバック部１５を径方向外側の面と径方向内側の面の両面（第１及び第２の面部Ｓ１，Ｓ２）から挟み込み、かつ、第２の連結部Ｆ２が第１の連結部Ｆ１に連結されることにより、リングコア１２に固定される。
【００４７】
第１の連結部Ｆ１は、例えば、凹形状であり、第２の連結部Ｆ２は、例えば、凸形状である。この場合、インシュレータ１４は、第２の連結部Ｆ２が第１の連結部Ｆ１に篏合されることにより、リングコア１２に容易に固定される。また、第１の連結部Ｆ１が軸方向に延び、第２の連結部Ｆ２が軸方向に沿って、第１の連結部Ｆ１に挿入可能であれば、モータの組み立て工程において、インシュレータ１４は、リングコア１２にさらに容易に固定できる。
【００４８】
ターミナル部ＴＥＲ１は、軸方向において、複数のコアセグメントＳＥＧのうちの１つに対応する絶縁部ＩＳＲに連結される。ターミナル部ＴＥＲ１は、端子を保持する。本例では、端子は、３つの外部端子Ｕ，Ｖ，Ｗである。但し、ターミナル部ＴＥＲ１が保持する外部端子の数は、これに限られない。ターミナル部ＴＥＲ１が保持する外部端子の数は、１つでもよいし、２つでもよいし、又は、４つ以上でもよい。
【００４９】
本例は、３相同期モータを想定するため、ターミナル部ＴＥＲ１が保持する複数の外部端子は、Ｕ相入力信号を入力する外部端子Ｕ、Ｖ相入力信号を入力する外部端子Ｖ、及び、Ｗ相入力信号を入力する外部端子Ｗである。すなわち、ロータの回転は、３相入力信号により制御され、端子は、３相入力信号が入力される３つの外部端子である。また、Ｕ相コイル、Ｖ相コイル、及び、Ｗ相コイルがいわゆるスター結線される場合、ターミナル部ＴＥＲ１は、これら複数の外部端子Ｕ，Ｖ，Ｗに加えて、又は、これら複数の外部端子Ｕ，Ｖ，Ｗに変えて、コモン端子を保持していてもよい。
【００５０】
ターミナル部ＴＥＲ１は、第１の端面部Ｑ１を有する。第１の端面部Ｑ１は、軸方向におけるターミナル部ＴＥＲ１の２つの端面のうち軸方向上側に位置する端面である。複数のコアセグメントＳＥＧは、第２の端面部Ｑ２を有する。第２の端面部Ｑ２は、軸方向における複数のコアセグメントＳＥＧの２つの端面のうち軸方向下側に位置する端面である。また、軸方向において、第１の端面部Ｑ１は、第２の端面部Ｑ２よりも軸方向下側に位置する。これは、ターミナル部ＴＥＲ１が軸方向に複数のコアセグメントＳＥＧから離れて配置されることを意味する。
【００５１】
この場合、ターミナル部ＴＥＲ１は、ステータコアの軸方向下側（リア側）に位置する。ターミナル部ＴＥＲ１が軸方向下側に位置すると、モータの外部端子Ｕ，Ｖ，Ｗがロータのフロント側とは反対側に位置する。
【００５２】
ターミナル部ＴＥＲ１は、第１のハウジング１０の径方向内側から第１のハウジング１０の径方向外側に向けて突出する第１の突出部ＰＪ１を備える。また、第１のハウジング１０は、第１の突出部ＰＪ１が挿入される第１のスリットＳＬＴ１を備える。第１のスリットＳＬＴ１は、第１のハウジング１０の側面を径方向に貫通する貫通孔である。第１の突出部ＰＪ１は、第１のハウジング１０の径方向内側から第１のハウジング１０の径方向外側に向けて、第１のスリットＳＬＴ１を経由して突出する。
【００５３】
従って、インシュレータ１４がリングコア１２に固定され、かつ、ターミナル部ＴＥＲ１の第１の突出部ＰＪ１が第１のハウジング１０の第１のスリットＳＬＴ１に接触することにより、リングコア１２および複数のコアセグメントＳＥＧの周方向の位置合わせが正確に行える。
【００５４】
複数の外部端子Ｕ，Ｖ，Ｗは、金属製の棒体（metal bar）である。複数の外部端子Ｕ，Ｖ，Ｗは、第１の端部ＥＰ１及び第２の端部ＥＰ２を有する。第１の端部ＥＰ１は、ターミナル部ＴＥＲ１から径方向内側に延びた先端部分である。これは、ティース部１６が突出する方向と、複数の外部端子Ｕ，Ｖ，Ｗの第１の端部ＥＰ１が延びる方向とが同じ、即ち、径方向内側に向かう方向であることを意味する。また、ワイヤ１３は、複数の外部端子Ｕ，Ｖ，Ｗの第１の端部ＥＰ１に直接巻回される。
【００５５】
この場合、巻線工程において、ティース部１６に巻回されるワイヤ１３の巻回面と、複数の外部端子Ｕ，Ｖ，Ｗの第１の端部ＥＰ１に巻回されるワイヤ１３の巻回面とは、平行となる。
ここで、ワイヤ１３の巻回面とは、ワイヤ１３がティース部１６又は第１の端部ＥＰ１に１周分巻回された場合に、その１周分のリング状のワイヤ１３を含む平面のことである。この定義では、ティース部１６又は第１の端部ＥＰ１に巻回されるワイヤ１３の巻回面は、複数存在することになるが、これら複数の巻回面は、いずれも、実質的に平行となる。巻線工程は、後述するように、例えば、図８に示すストレートコアの状態で行われる。図８において、第１、第２、及び、第３の方向を、それぞれ、Ｘ軸方向、Ｙ軸方向、及び、Ｚ軸方向とした場合、ティース部１６に巻回されるワイヤ１３の巻回面ＳＦ１と、複数の外部端子Ｕ，Ｖ，Ｗの第１の端部ＥＰ１に巻回されるワイヤ１３の巻回面ＳＦ２とは、いずれも、Ｘ−Ｚ平面に平行となる。尚、第１、第２、及び、第３の方向については、図８のストレートコアの説明において詳述する。
【００５６】
従って、巻線工程において、例えば、巻線機は、巻回ノズルの向きを変える必要がない。これは、巻線ノズルの動きを高速化することにより製造タクトタイムが短縮されることを意味する。また、ワイヤ１３は、複数の外部端子Ｕ，Ｖ，Ｗの第１の端部ＥＰ１に直接巻回される。従って、モータ内部の配線構造が簡単化される。
【００５７】
このように、外部端子Ｕ，Ｖ，Ｗの第１の端部ＥＰ１がターミナル部ＴＥＲ１から径方向内側に向かって延びることは、モータの小型化及び低コスト化が同時に実現されることを意味する。
【００５８】
尚、重要な点は、ティース部１６に巻回されるワイヤ１３の巻回面と、複数の外部端子Ｕ，Ｖ，Ｗの第１の端部ＥＰ１に巻回されるワイヤ１３の巻回面とが平行であることにある。従って、例えば、ティース部がコアバック部から径方向外側に突出するアウターロータタイプの場合、外部端子Ｕ，Ｖ，Ｗの第１の端部ＥＰ１も、これに合わせて、ターミナル部ＴＥＲ１から径方向外側に延びるのが望ましい。
【００５９】
また、ティース部１６を巻回するワイヤ１３の巻回方向と、外部端子Ｕ，Ｖ，Ｗの第１の端部ＥＰ１を巻回するワイヤ１３の巻回方向とは、同じでもよいし、又は、異なってもよい。但し、ティース部１６を巻回するワイヤ１３の巻回方向と、外部端子Ｕ，Ｖ，Ｗの第１の端部ＥＰ１を巻回するワイヤ１３の巻回方向とが同じであれば、さらに巻線工程の簡略化が図られる。
【００６０】
ここで、巻回方向とは、ティース部１６の先端側からティース部１６を見たとき、又は、外部端子Ｕ，Ｖ，Ｗの先端側から外部端子Ｕ，Ｖ，Ｗを見たときに、ワイヤ１３がティース部１６又は外部端子Ｕ，Ｖ，Ｗに巻かれる向きのことである。
【００６１】
また、ティース部１６の先端とは、ティース部１６の付け根、即ち、ティース部１６がコアバック部１５と結合される部分とは反対側の先端のことである。また、外部端子Ｕ，Ｖ，Ｗの先端とは、外部端子Ｕ，Ｖ，Ｗの付け根、即ち、外部端子Ｕ，Ｖ，Ｗがターミナル部ＴＥＲ１から突出する部分とは反対側の先端のことである。巻回方向は、右巻き（ＣＷ：clockwise）と、左巻き（ＣＣＷ：counter-clockwise）とがある。
【００６２】
さらに、ワイヤ１３は、外部端子Ｕ，Ｖ，Ｗの第１の端部ＥＰ１において、径方向外側から径方向内側に向かって、巻回されるのが望ましい。この構成によると、外部端子Ｕ，Ｖ，Ｗにモーメント荷重が掛かり難くなるからである。その結果、外部端子Ｕ，Ｖ，Ｗに対するワイヤ１３の巻回時に、外部端子Ｕ，Ｖ，Ｗが変形することを抑制できる。
【００６３】
外部端子Ｕ，Ｖ，Ｗの第２の端部ＥＰ２は、外部端子Ｕ，Ｖ，Ｗにおけるターミナル部ＴＥＲ１の第１の突出部ＰＪ１から軸方向に延びる部分である。第２の端部ＥＰ２が第１の突出部ＰＪ１から軸方向に延びると、外部端子Ｕ，Ｖ，Ｗの第１の端部ＥＰ１の向きと、外部端子Ｕ，Ｖ，Ｗの第２の端部ＥＰ２の向きとが異なることになる。即ち、外部端子Ｕ，Ｖ，Ｗは、ターミナル部ＴＥＲ１内において、折れ曲がった形状を有する。
【００６４】
結果として、外部端子Ｕ，Ｖ，Ｗの第２の端部ＥＰ２は、コアバック部１５と径方向に間隙をもって対向する。
【００６５】
この場合、本例のモータは、例えば、モータを制御する制御基板が中心軸Jに直交する面内に配置されるシステム（モータユニット）に有効である。なぜなら、このようなシステムでは、モータと制御基板との電気的接続が容易化されるからである。尚、これについては、モータユニットの項目で詳述する。
【００６６】
複数の外部端子Ｕ，Ｖ，Ｗは、周方向において、所定幅内に並んで配置されるのが望ましい。周方向における複数の外部端子Ｕ，Ｖ，Ｗの幅を所定幅Ｈ１とし、周方向における１つの連結部ＣＯＭからそれに隣り合う連結部ＣＯＭまでの幅をコアバック幅Ｈ２とした場合、所定幅Ｈ１は、コアバック幅Ｈ２よりも小さいのが望ましい。これは、ターミナル部ＴＥＲ１と絶縁部ＩＳＲとの連結のし易さ、及び、外部端子Ｕ，Ｖ，Ｗの第１の端部ＥＰ１へのワイヤ１３の巻回のし易さ、を考慮したものである。
【００６７】
尚、本例では、ターミナル部ＴＥＲ１の数は、１つであるが、これに限られない。ターミナル部ＴＥＲ１の数は、２つ以上でもよい。この場合、複数のターミナル部の各々は、例えば、図６及び図７から想定できるように、１つのコアセグメントＳＥＧに対応する絶縁部ＩＳＲにそれぞれ連結される。但し、複数のターミナル部が互いに干渉しないように、複数のターミナル部は、互いに離れたコアセグメントＳＥＧに対応する絶縁部ＩＳＲにそれぞれ連結されるのが望ましい。
【００６８】
複数の外部端子Ｕ，Ｖ，Ｗの第１の端部ＥＰ１が延びる方向は、径方向であり、例えば、互いに平行に延びる。但し、これら複数の外部端子Ｕ，Ｖ，Ｗの第１の端部ＥＰ１は、厳密に、平行に延びていなくてもよい。例えば、複数の外部端子Ｕ，Ｖ，Ｗのうちの１つ、例えば、中央の外部端子Ｖは、径方向に延び、残りの外部端子Ｕ，Ｗは、外部端子Ｖに概ね平行となるように延びていてもよい。
【００６９】
磁気センサＳＥＮは、回路基板ＣＢ上に実装される。また、回路基板ＣＢは、センサ端子Ｔsenを有する。センサ端子Ｔsenは、磁気センサＳＥＮにより検出される回転角を出力する。回路基板ＣＢは、第１のハウジング１０の径方向内側から第１のハウジング１０の径方向外側に向けて突出する第２の突出部ＰＪ２を備える。また、第１のハウジング１０は、第２の突出部ＰＪ２が挿入される第２のスリットＳＬＴ２を備える。第２のスリットＳＬＴ１は、第１のハウジング１０の側面を径方向に貫通する貫通孔である。第２の突出部ＰＪ２は、第１のハウジング１０の径方向内側から第１のハウジング１０の径方向外側に向けて、第２のスリットＳＬＴ２を経由して突出する第２の突出部ＰＪ２を含む。
【００７０】
センサ端子Ｔsenは、外部端子Ｕ，Ｖ，Ｗと同様に、金属製の棒体である。センサ端子は、例えば、第２の突出部ＰＪ２から軸方向に沿って延びる。
【００７１】
例えば、モータの回転角及び回転速度がモータ外部の制御装置により制御される場合、モータは、ロータ１１の回転角を示す信号を制御装置に出力しなければならない。従って、この場合、モータは、例えば、ホール素子、磁気抵抗効果素子などの磁気センサＳＥＮにより検出された回転角を出力するセンサ端子Ｔsenを備えるのが望ましい。
【００７２】
尚、センサ端子Ｔsenも、外部端子Ｕ，Ｖ，Ｗの第２の端部ＥＰ２と同様に、軸方向に延びているのが望ましい。
【００７３】
以上、説明したように、本例によれば、モータの小型化及び低コスト化を十分に実現可能となる。
【００７４】
＜ステータ（ストレートコア）＞
図８は、ステータの例を示す。図９は、図８からストレートコアを抽出して示す図である。図１０は、図８からインシュレータを抽出して示す図である。
【００７５】
本例のステータは、例えば、図１乃至図７のモータに使用される。このステータは、ストレートコアタイプである。このタイプのステータは、既に述べたように、カーリング処理によりリングコアに変形された後、モータのステータとして使用される。
【００７６】
以下の説明において、第１の方向とは、複数のコアセグメントが連結される方向であり、ストレートコアがモータのステータとして使用されたときにリングコアの周方向に対応する。第２の方向とは、ティース部が延びる方向であり、ストレートコアがモータのステータとして使用されたときにリングコアの径方向に対応する。第２の方向内側とは、第２の方向のティース部の先端側を意味し、第２の方向外側とは、第２の方向のティース部の付け根側を意味する。ティース部の付け根とは、ティース部がコアバック部と結合される部分のことであり、ティース部の先端とは、ティース部の付け根とは反対側の先端のことである。第３の方向とは、第１及び第２の方向に直交する方向であり、ストレートコアがモータのステータとして使用されたときにリングコアの軸方向に対応する。第３の方向下側とは、第３の方向のターミナル部側を意味し、第３の方向上側とは、第３の方向のターミナル部側とは反対側を意味する。但し、ここでの内／外及び下／上とは、単に説明を簡略化するためのものであり、常に、内／外及び下／上でなければならないということではない。
【００７７】
また、以下では、ストレートコアに特徴的な要素を説明し、それ以外の要素については、図１乃至図７のモータで付した符号と同じ符号を付すことにより、その詳細な説明を省略する。
【００７８】
ストレートコア１２’は、複数のコアセグメントＳＥＧと、複数のコアセグメントＳＥＧを第１の方向に連結する複数の連結部ＣＯＭと、を備える。ストレートコア１２’は、例えば、複数の電磁鋼板を軸方向に積み重ねた構造を有する。これら複数の電磁鋼板は、カシメなどにより互いに連結される。
【００７９】
複数のコアセグメントＳＥＧの各々は、コアバック部１５と、コアバック部１５から第１の方向に直交する第２の方向に突出し、ワイヤ１３が巻回されるティース部１６と、ティース部１６の第２の方向先端に配置されるアンブレラ部ＵＭＢと、を備える。
【００８０】
図９から明らかなように、コアバック部１５は、第２の方向内側を向く面である第１の面部Ｓ１と、第２の方向外側を向く面である第２の面部Ｓ２と、第２の面部Ｓ２に配置される第１の連結部Ｆ１と、を備える。第１の連結部Ｆ１は、第２の方向内側に窪む凹形状であり、第３の方向に延びる。
【００８１】
複数の連結部ＣＯＭの各々は、第３の方向に延びる溝部Ｇ’と、溝部Ｇ’の縁に沿う２つの凸部Ｔと、を備える。２つの凸部Ｔは、それぞれ、例えば、第２の方向内側に向かって次第に先細るテーパ形状を有する。これら溝部Ｇ’及び凸部Ｔは、カーリング処理を行い易くする効果を有する。溝部Ｇ’が塑性変形し、２つの凸部Ｔ同士が接触する構成は、リングコア１２を円形、例えば、真円にし易い。
【００８２】
インシュレータ１４は、リングコア１２及びワイヤ１３間に配置される絶縁部ＩＳＲと、絶縁部ＩＳＲに連結されるターミナル部ＴＥＲ１と、を備える。
【００８３】
図１０から明らかなように、絶縁部ＩＳＲは、例えば、ティース部１６の第１の方向を向く２つの面を覆う側面である側面部Ｅ１と、ティース部１６の第３の方向を向く２つの面を覆う上下端面である上下面部Ｅ２と、を備える。また、絶縁部ＩＳＲは、コアバック部１５の第２の方向内側を向く面である第１の面部Ｓ１及び第２の方向外側を向く面である第２の面部Ｓ２を覆う。これにより、ティース部１６及びワイヤ１３間の絶縁が実現される。すなわち、インシュレータ１４は、リングコア及びワイヤ間を絶縁する。または、インシュレータ１４は、リングコア及びコイル間を絶縁する。
【００８４】
絶縁部ＩＳＲは、さらに、コアバック部１５の第１の連結部Ｆ１に連結される第２の連結部Ｆ２を備える。この場合、インシュレータ１４は、コアバック部１５を第２の方向外側の面と第２の方向内側の面の両面（第１及び第２の面部Ｓ１，Ｓ２）から挟み込み、かつ、第２の連結部Ｆ２が第１の連結部Ｆ１に連結されることにより、ストレートコア１２’に固定される。
【００８５】
ターミナル部ＴＥＲ１は、複数の外部端子Ｕ，Ｖ，Ｗを保持する。本例では、ターミナル部ＴＥＲ１は、３つの外部端子を保持する。また、ターミナル部ＴＥＲ１は、第１の端面部Ｑ１を有する。第１の端面部Ｑ１は、第３の方向におけるターミナル部ＴＥＲ１の２つの端面部のうち第３の方向上側に位置する端面部である。
【００８６】
一方、複数のコアセグメントＳＥＧは、第２の端面部Ｑ２を有する。第２の端面部Ｑ２は、第３の方向における複数のコアセグメントＳＥＧの２つの端面部のうち第３の方向下側に位置する端面部である。そして、第３の方向において、第１の端面部Ｑ１は、第２の端面部Ｑ２よりも第３の方向下側に位置する。
【００８７】
複数の外部端子Ｕ，Ｖ，Ｗの第１の端部ＥＰ１は、ターミナル部ＴＥＲ１から第２の方向内側に延びる。従って、ティース部１６が突出する方向と、複数の外部端子Ｕ，Ｖ，Ｗの第１の端部ＥＰ１が延びる方向とは、同じ、即ち、第２の方向内側である。また、ワイヤ１３は、複数の外部端子Ｕ，Ｖ，Ｗの第１の端部ＥＰ１に直接巻回される。
【００８８】
従って、巻線工程において、製造タクトタイムの短縮を図ることができる。
【００８９】
尚、ティース部を巻回するワイヤ１３の巻回方向（ＣＷ又はＣＣＷ）と、外部端子Ｕ，Ｖ，Ｗの第１の端部ＥＰ１を巻回するワイヤ１３の巻回方向（ＣＷ又はＣＣＷ）とは、同じでもよいし、又は、異なってもよい。また、ワイヤ１３は、外部端子Ｕ，Ｖ，Ｗの第１の端部ＥＰ１の先端に次第に近づくように、例えば、図８の矢印Ｄに示すように、第２の方向外側から第２の方向内側に向かって、外部端子Ｕ，Ｖ，Ｗの第１の端部ＥＰ１に巻回されるのが望ましい。
【００９０】
外部端子Ｕ，Ｖ，Ｗの第２の端部ＥＰ２は、ターミナル部ＴＥＲ１から第３の方向に延びる。また、外部端子Ｕ，Ｖ，Ｗの第２の端部ＥＰ２は、コアバック部１５と第２の方向に間隙をもって対向する。さらに、複数の外部端子Ｕ，Ｖ，Ｗが第１の方向の所定幅Ｈ１内に並んで配置される場合、所定幅Ｈ１は、コアバック部１５の第１の方向のコアバック幅Ｈ２よりも小さいのが望ましい。
【００９１】
以上、説明したように、本例のステータ（ストレートコア）を用いれば、モータの小型化及び低コスト化を十分に実現可能となる。
【００９２】
＜巻線工程＞
図１１は、巻線機の例を示す。
巻線機２１は、制御部２２と、記憶部２３と、駆動部２４と、巻線ノズル２５と、ワイヤ供給部２６と、を備える。
【００９３】
制御部２２は、ステータ（ストレートコア）２７に対する巻線工程を制御する。記憶部２３は、例えば、巻線工程を実行するプログラムを記憶する。制御部２２は、このプログラムに基づき、巻線工程を実行する。駆動部２４は、制御部２２からの制御信号を受け、実際に巻線ノズル２５を駆動する。ワイヤは、ワイヤ供給部２６から供給される。
【００９４】
図１２は、巻線工程の例を示す。図１３は、巻線機の動作の例を示す。
図１３の巻線機の動作（フローチャート）は、図１２の巻線工程に対応する。ステータ２７は、図８乃至図１０のステータ（ストレートコア）である。
巻線工程ＳＴｗは、以下により実行される。
【００９５】
まず、ワイヤ１３は、Ｗ相入力信号の入力端子としての外部端子Ｗに巻回される（巻き始めＳＴＡＲＴ）（ステップＳＴ０１）。外部端子Ｗに対するワイヤ１３の巻回方向は、右巻き（ＣＷ）である。リードピンＰ１は、第３の方向から視て、ティース部Ｎｏ．３に重なる位置に設けられる。これにより、ワイヤ１３は、第３方向に沿って、ティース部Ｎｏ．３に巻き始められる。すなわち、ワイヤ１３は、ティース部Ｎｏ．３の周方向側面に対して、平行に延びつつ巻回される。その結果、本例では、ワイヤ１３をスロット溝の空間を無駄にすることなく、ティース部Ｎｏ．３に巻回することができる。この後、巻線機は、第１の相を有する第１のコイル、例えば、Ｗ相コイルを形成する。第１のコイルは、複数のコイルを備える。即ち、ワイヤ１３は、リードピンＰ１を経由した後、図１２に示す左側から３番目、６番目、及び、９番目のティース部に、順次、巻回される（ステップＳＴ０２）。図１２に示す左側から３番目、６番目、及び、９番目のティース部に対するワイヤ１３の巻回方向も、右巻き（ＣＷ）である。
【００９６】
図１２に示す左から９番目のティース部に対するワイヤ１３の巻回が終了したら、巻線機は、次に、第２の相を有する第２のコイル、例えば、Ｖ相コイルを形成する。第２のコイルは、複数のコイルを備える。即ち、ワイヤ１３は、中間端子ＭとしてのリードピンＰ２に巻回された後、図１２に示す左側から８番目、５番目、及び、２番目のティース部に、順次、巻回される（ステップＳＴ０３〜ＳＴ０４）。図１２に示す左側から８番目、５番目、及び、２番目のティース部に対するワイヤ１３の巻回方向は、例えば、左巻き（ＣＣＷ）である。
【００９７】
図１２に示す左から２番目のティース部に対するワイヤ１３の巻回が終了したら、ワイヤ１３は、次に、Ｖ相入力信号の入力端子としての外部端子Ｖに巻回される（ステップＳＴ０５）。外部端子Ｖに対するワイヤ１３の巻回方向は、例えば、左巻き（ＣＣＷ）である。外部端子Ｖは、第３の方向から視て、ティース部Ｎｏ．２に重なる位置に設けられる。これにより、ワイヤ１３は、外部端子Ｖに張力による荷重を与えることなく、外部端子Ｖに巻回される。
【００９８】
この後、ワイヤ１３は、リードピンＰ３を経由した後、Ｕ相入力信号の入力端子としての外部端子Ｕに巻回される（ステップＳＴ０６）。外部端子Ｕに対するワイヤ１３の巻回方向は、例えば、右巻き（ＣＷ）である。
【００９９】
次に、巻線機は、第３の相を有する第３のコイル、例えば、Ｕ相コイルを形成する。第３のコイルは、複数のコイルを備える。即ち、ワイヤ１３は、リードピンＰ４を経由した後、図１２に示す左側から１番目、４番目、及び、７番目のティース部に、順次、巻回される（ステップＳＴ０７）。図１２に示す左側から１番目、４番目、及び、７番目のティース部に対するワイヤ１３の巻回方向は、例えば、右巻き（ＣＷ）である。リードピンＰ４は、第３の方向から視て、ティース部Ｎｏ．１に重なる位置に設けられる。すなわち、ワイヤ１３は、ティース部Ｎｏ．１の周方向側面に対して、平行に延びつつ巻回される。その結果、本例では、ワイヤ１３をコイルエンドの空間を無駄にすることなく、ティース部Ｎｏ．３に巻回することができる。
【０１００】
図１２に示す左から７番目のティース部に対するワイヤ１３の巻回が終了したら、巻線機は、最後に、ワイヤ１３の先端をリードピンＰ２に括り付ける（ステップＳＴ０８）。
【０１０１】
この後、ワイヤ１３がカットされ、巻線工程が終了する（ステップＳＴ０９）。
【０１０２】
ストレートコアに巻回されるワイヤ１３のうち、１つのティース部に巻回されたコイルから他の１つのティース部に巻回されたコイルまでの部分は、渡り線（crossover wire）Ｐｃｗと呼ばれる。巻線機は、渡り線Ｐｃｗがインシュレータ１４のワイヤガイドＧＤの径方向内側を経由するように、巻線ノズルの動きを制御する。
【０１０３】
尚、図１２において、渡り線は、３番目のティース部、６番目のティース部、及び、９番目のティース部の間を結ぶ部分のみを示す。その他の部分は、図面を分かり易くするため、省略する。
【０１０４】
なお、リードピンＰ１〜Ｐ４は、ステータ２７とは独立に設けられる。リードピンＰ１〜Ｐ４は、巻線機に設けられる治具等であってよい。
【０１０５】
さらに、図１０から明らかなように、ワイヤガイドＧＤは、インシュレータ１４の一部であり、インシュレータ１４の絶縁部ＩＳＲから第３の方向上側又は第３の方向下側に延びる板状である。すなわち、インシュレータ１４、複数のコアセグメントＳＥＧの第３の方向の下側の端部に位置するワイヤガイドＧＤを有する。複数のコイルは、ワイヤガイドＧＤの第２の方向の内側を経由して互いに直列接続される。ワイヤガイドＧＤによって、渡り線Ｐｃｗとハウジング１０との絶縁を行う。
【０１０６】
図１４は、仕上工程の例を示す。
ステータ（ストレートコア）に対する巻線工程ＳＴｗが完了した後、仕上工程ＳＴｆが実行される。
【０１０７】
コモン端子Ｃは、Ｕ相コイル、Ｖ相コイル、及び、Ｗ相コイルがいわゆるスター結線される場合、コモン端子（コモンノード）を示す。図１４のコモン端子Ｃは、図８のコモン端子Ｃに対応する。
【０１０８】
また、巻線工程ＳＴｗが完了した時点では、ワイヤ１３は、外部端子Ｕ，Ｖ，Ｗに巻回されているだけで、外部端子Ｕ，Ｖ，Ｗに確実に固定されていない。また、ワイヤ１３は、エナメル線、ポリウレタン線、ポリエステル線などの導体を絶縁膜で覆った構造を有する。
【０１０９】
従って、外部端子Ｕ，Ｖ，Ｗに巻回されるワイヤ１３は、例えば、仕上工程ＳＴｆにおいて、半田付けなどの作業により、外部端子Ｕ，Ｖ，Ｗに固定される。また、ワイヤ１３の表面を覆う絶縁膜は、半田付け時の熱により剥離されるため、ワイヤ１３と外部端子Ｕ，Ｖ，Ｗとの電気的接続が確保される。同様に、コモン端子Ｃについても、ワイヤ１３を覆う絶縁膜は、半田付けなどの作業により剥離される。
【０１１０】
＜モータの組立工程＞
図１５は、モータの組立工程の例を示す。
【０１１１】
まず、ストレートコアとインシュレータとが組み立てられる。ストレートコアは、例えば、図９のストレートコア１２’である。また、インシュレータは、例えば、図１０のインシュレータ１４である。ストレートコア１２’とインシュレータ１４の組み立て後、巻線工程ＳＴｗ及び仕上工程ＳＴｆが行われる。
巻線工程ＳＴｗ及び仕上工程ＳＴｆが終了すると、例えば、図８のステータ（ストレートコア）が完成する。
【０１１２】
次に、カーリング工程ＳＴｃが行われる。カーリング工程ＳＴｃは、カーリング装置により実行される。カーリング工程ＳＴｃを終えたステータは、例えば、図４のステータと同じである。最後に、組立工程ＳＴａにより、ロータ、カーリング処理されたステータ、及び、第１のハウジングなど、が組み合されることにより、モータが完成する。
【０１１３】
＜適用例＞
【０１１４】
以下、実施形態に係わるモータの出力が減速ギアなどのギアを介してシャフト（出力軸）から出力されるシステム（モータユニット）の例を説明する。
【０１１５】
図１６は、モータユニットの外形の例を示す。図１７は、図１６のＸＶＩＩ−ＸＶＩＩ線に沿う断面図である。図１８は、図１６のモータユニットを裏面Ｂから見た図である。図１９は、制御基板の例を示す。
【０１１６】
モータ３０は、例えば、図１乃至図７のモータである。制御基板３１は、中心軸Jに直交する面内に配置される。制御基板３１は、軸方向に貫通する貫通孔であるホール部Ｈを有する。モータ３０の外部端子Ｕ，Ｖ．Ｗの第２の端部ＥＰ２は、制御回路３１を貫通する。
【０１１７】
制御装置３２及びドライバ３３は、制御基板３１上に搭載される。制御装置３２は、例えば、モータ３０の回転を制御する制御信号を出力する。制御信号は、例えば、ＰＷＭ（pulse width modulation）信号である。ドライバ３３は、制御信号を受けて、モータ３０を駆動する駆動信号を出力する。駆動信号は、例えば、複数の電界効果トランジスタのオン／オフにより生成される駆動電流である。
【０１１８】
また、モータ３０が３相同期モータである場合、駆動信号は、３相（Ｕ相、Ｖ相、及び、Ｗ相）交流信号である。
【０１１９】
シャフト３４は、モータユニットの出力軸ＡＸとして機能する。シャフト３４は、出力軸ＡＸを中心に回転可能である。ギア３５は、モータ３０のロータ１１及びシャフト３４間を機械的に接続する。ギア３５は、例えば、減速ギアである。
【０１２０】
第２のハウジング３６は、モータ３０、制御基板３１、シャフト３４、及び、ギア３５を取り囲む。第２のハウジング３６は、例えば、金属又は金属合金を備える。但し、第２のハウジング３６は、導電体に限られず、絶縁体でもよい。第２のハウジング３６は、例えば、アルミニウム、アルミニウム合金、炭素繊維強化プラスチック（ＣＦＲＰ）などから選択可能である。第２のハウジング３６は、マグネシウムを含んでいてもよい。
【０１２１】
シャフト３４の少なくとも一端は、第２のハウジング３６から突出する。
【０１２２】
また、モータ３０の外部端子Ｕ，Ｖ．Ｗの第２の端部ＥＰ２は、軸方向に延び、かつ、制御基板３１は、モータ３０の中心軸Jに直交する面内に配置される。この場合、モータ３０の外部端子Ｕ，Ｖ．Ｗの第２の端部ＥＰ２は、制御基板３１のホール部Ｈに挿入し易くなる。従って、モータ３０と制御基板３１との接続が容易化される。
【０１２３】
（むすび）
以上、説明したように、本発明の実施形態によれば、巻線工程のタクトタイムが短縮され、モータの量産性が向上される。
【０１２４】
本発明のいくつかの実施形態を説明したが、これら実施形態は、一例として提示したものであり、本発明の範囲を限定することを意図しない。これら実施形態は、上述以外の様々な形態で実施することが可能であり、本発明の要旨を逸脱しない範囲で、種々の省略、置換、変更など、を行える。これら実施形態及びその変形は、本発明の範囲及び要旨に含まれると共に、特許請求の範囲に記載された発明及びその均等物についても、本発明の範囲及び要旨に含まれる。
【符号の説明】
【０１２５】
１０：  第１のハウジング、  １１：  ロータ、  １２：  リングコア、  １２’：  ストレートコア、  １３：  ワイヤ、  １４：  インシュレータ、  １５：  コアバック部、  １６：  ティース部、  １７：  下側インシュレータ、  １８：  上側インシュレータ、Ｊ：  中心軸、  ＴＥＲ１：  ターミナル部、  ＰＪ１：  第１の突出部、  ＰＪ２：  第２の突出部、  Ｕ，Ｖ，Ｗ：  外部端子、  ＴＷ：  スラストワッシャー、  ＳＥＮ：  磁気センサ、  Ｔsen：  センサ端子、  ＳＬＴ１：  第１のスリット、  ＳＬＴ２：  第２のスリット、  ＳＥＧ：  コアセグメント、  ＣＯＭ：  連結部、  Ｆ１：  第１の連結部、  Ｆ２：  第２の連結部、  Ｇ：  裂け目部、  Ｇ’：  溝部、  Ｔ：  凸部、  ＩＳＲ：  絶縁部、  ＣＢ：  回路基板。
【図１Ａ】
2019068593.tif 000003
【図１Ｂ】
2019068593.tif 000004
【図２】
2019068593.tif 000005
【図３】
2019068593.tif 000006
【図４】
2019068593.tif 000007
【図５】
2019068593.tif 000008
【図６】
2019068593.tif 000009
【図７】
2019068593.tif 000010
【図８】
2019068593.tif 000011
【図９】
2019068593.tif 000012
【図１０】
2019068593.tif 000013
【図１１】
2019068593.tif 000014
【図１２】
2019068593.tif 000015
【図１３】
2019068593.tif 000016
【図１４】
2019068593.tif 000017
【図１５】
2019068593.tif 000018
【図１６】
2019068593.tif 000019
【図１７】
2019068593.tif 000020
【図１８】
2019068593.tif 000021
【図１９】
2019068593.tif 000022